(57)【要約】本発明は、原子力発電所の特別の水素システム、及び圧縮空気システム又は特別の酸素システムから、水素、及び空気又は純粋な酸素が供給される燃料電池（２）を含む非常用電源装置に関する。非常用電源はまた、燃料電池（２）と、適当なインタフェース（例えば、チョッパー）を介して燃料電池に対して並列又は直列に配置されたスーパーコンデンサの装置とのハイブリッドシステムの形態で提供される。燃料電池は、ＰＥＭＦＣ型の燃料電池であり得る。燃料電池は、特に、加圧水型原子炉の一次ポンプの接合部の中に水を注入するポンプのモータの電源を確保する。燃料電池はまた、前記回路の正常電源の損失の場合に、原子力プラントのある監視及び制御回路に電力を供給するために使用される。本発明のシステムの出力は、５００ｋＶＡに達することができる。【選択図】図１
2004530874.tif 000002
【特許請求の範囲】
【請求項１】
原子力発電所の補助構成要素（３４，３５，３５ａ）への非常用電源のための装置であって、
水素を含有するガスの少なくとも一つのタンクから水素を含有するガスが、また、酸素を含有するガスの少なくとも一つのシステムから酸素を含有するガスが、供給される少なくとも一つの燃料電池（２）を含む、
ことを特徴とする装置。
【請求項２】
前記燃料電池（２）の起動及び出力上昇中、又は消費ピークの面前で、瞬間非常用電流を提供するために、前記燃料電池に対して並列に又は直列に配置された、電気エネルギーを貯えるための中間装置（３８）を更に有する、ことを特徴とする請求項１記載の装置。
【請求項３】
電気エネルギーを貯えるための前記中間装置は、少なくとも一つのスーパーコンデンサ（３８）からなる、ことを特徴とする請求項２記載の装置
【請求項４】
前記燃料電池は、以下の種類の一つの燃料電池、即ち、ＰＥＭＦＣ、膜付き又は膜なしのアルカリ燃料電池（ＡＦＣ；alkaline fuel cell）、リン酸燃料電池ＰＡＦＣ（phosphoric acid fuel cell）、溶融炭酸塩燃料電池ＭＣＦＣ（molten carbonate fuel cell）、固体酸化物燃料電池ＳＯＦＣ（solid oxide fuel cell）、又は、直接メタノール燃料電池ＤＭＦＣ（direct methanol fuel cell）である、ことを特徴とする請求項１記載の装置。
【請求項５】
前記燃料電池（２）は、水素供給システム（１２）から水素を供給され、この供給システム（１２）は、原子力発電所のシステム（１６ａ、１６ｂ）への通常の供給ための第一システム部分（１２ａ）と、前記第一システム部分（１２ａ）を前記燃料電池に接続するための第二システム部分（１２ｂ）と、を有する、ことを特徴とする請求項１記載の装置。
【請求項６】
前記第一システム部分（１２ａ）は、加圧水素を貯蔵するためのタンク（１４）と、その水素の圧力を減ずるためのステージ（１５）と、第一停止弁（１５ａ）と、を少なくとも有し、前記水素供給システム（１２）の前記第二システム部分（１２ｂ）は、前記水素圧力を減ずるための第二ステージ（１７）と、第二停止弁（１７ａ）と、を有する、ことを特徴とする請求項５記載の装置。
【請求項７】
水素を前記燃料電池（１２）に供給するための前記水素供給システム（１２）は、前記燃料電池（２）で消費されなかった水をリサイクルするための追加のシステム（１２ｃ）を有する、ことを特徴とする請求項５記載の装置。
【請求項８】
前記燃料電池（２）には、前記燃料電池（２）に特有のシステムによって、水素が供給される、ことを特徴とする請求項１記載の装置。
【請求項９】
空気を前記燃料電池（２）に供給するためのシステム（２４）を有し、
前記システム（２４）は、圧縮空気の圧力を減ずるためのステージ（２７）と、停止弁（２７ａ）とが配置されたパイプを経て、燃料電池に連結された、原子力発電所の圧縮空気バッファタンク（２６）を有する、ことを特徴とする請求項１記載の装置。
【請求項１０】
原子力発電所の純水タンク（３０）からの純水により、前記燃料電池（２）を冷却するためのシステム（３１）を更に有する、ことを特徴とする請求項１記載の装置。
【請求項１１】
前記原子力発電所からの排水を回収するためのシステム（２０）に連結された、前記燃料電池内の水を回収するための少なくとも一つのシステムを有する、ことを特徴とする請求項１記載の装置。
【請求項１２】
前記燃料電池の起動時間を減ずるために、前記燃料電池（２）を作動温度に保つ加熱装置（４４）を更に有する、ことを特徴とする請求項１記載の装置。
【請求項１３】
原子炉の一次ポンプの駆動シャフトのシールの中に水を注入するためのポンプの駆動モータに、非常用電源を提供するための方法であって、
前記注入ポンプ（３５）への正常電源の中断の場合に、請求項１乃至１２の何れか一項に記載の装置と、インバータのような、直流電流を三相交流電流に変換するための変換器（２２）と、により、前記一次ポンプのシールの中に水を注入するための前記ポンプ（３５）のモータ（３５ａ）に電力を供給する、ことを特徴とする方法。
【請求項１４】
原子力発電所の補助構成要素を監視及び制御するための少なくとも一つの配電盤（４０）に、非常用電源を提供するための方法であって、
請求項１乃至１２の何れか一項に記載の装置と、配電盤（３４）又は幾つかの配電盤（３４）に電力を供給するのに単独で使用されたスーパーコンデンサプラント（３８）と、によって作り出された電流を前記配電盤（４０）に供給する、ことを特徴とする方法。
【請求項１５】
電源の完全な損失の場合に、前記原子炉を冷却するために、原子炉の蒸気発生器に非常給水を行うための少なくとも一つのポンプに電源を提供するための方法であって、
約５００ｋＶＡの出力を伴う燃料電池（２）を有する、請求項１乃至１２の何れか一項に記載の装置によって、給水を行うための前記ポンプへの、電流を供給する、ことを特徴とする方法。
【発明の詳細な説明】
【技術分野】
【０００１】
本発明は、原子力発電所、特に、加圧水冷却型原子炉を有する原子力発電所の補助構成要素への非常用電源を提供するための装置、及び、原子力発電所の補助構成要素のための主電源の故障の場合に、非常用電源を作り出す方法に関する。
【背景技術】
【０００２】
原子力発電所の多くの補助構成要素、特に、原子力発電所の主要構成要素を監視し、制御し、或は保護するために使用される補助構成要素には、原子力発電所の原子炉のあらゆる操作段階の間、補助構成要素の機能を遂行することができるようにするため、電流を継続的に供給しなければならない。
【０００３】
例えば、原子炉の十分な運転を行うために、原子力発電所の電気ビルディングに備え付けられた回路遮断器及び接触器、電動弁及び電磁弁の転極接触器のような装置に、いかなる状況下でも利用できるように、継続的に電流が供給されることが可能でなければならない。
【０００４】
この装置には、例えば、交流３８０Ｖの回路網及び整流器から、原子力発電所によって提供された１２５Ｖの直流電流が供給される。
【０００５】
万一、原子力発電所の電源の中断をもたらす事件又は事故が起きても、上述のように、電気設備の機能を保持することが必要である。
【０００６】
この電気設備がいかなる状況下でも継続運転を行うために、例えば、２５０Ａの最大電流で、１２５Ｖの公称電圧を出すことができる鉛又はカドミウム蓄電池のような蓄電池が、通常使用される。
【０００７】
原子力発電所の正常運転状態では、蓄電池は、多数の構成要素に電流を供給することから生じる臨時の電流消費ピークを除いて、いかなる電流も生じさせない。
【０００８】
原子力発電所の正常電源が中断された場合、蓄電池単独で、電気設備に供給されるエネルギーを提供しなければならず、このような事件又は事故は、例えば、電気設備に供給する手段の局部的な故障である可能性がある。
【０００９】
この場合、蓄電池は、公称電圧１２５Ｖで、電圧が蓄電池の端子で約１０５Ｖの制限電圧より下がることなく、少なくとも一時間の間、電気設備に電力を供給することができなければならない。
【００１０】
電源について最低限の所望の作動寿命に到達するために、この機能を提供することができる蓄電池の大きさ及び質量は極めて大きい。
【００１１】
加圧水冷却型原子炉は、加圧水を一次ポンプによって循環させる原子炉冷却システムを有し、一次ポンプは、ポンプの渦形室の内部に、ポンプモータに連結されたシャフトによって回転させられるポンプ羽根車を有する。
【００１２】
一次ポンプのシャフトは、大気圧でモータに連結された部分と、非常に高圧且つ非常に高温の水を受ける渦形室内でポンプ羽根車に連結されたその端部分との間で、幾つかの一連のシールを貫通する。
【００１３】
シールの不変の完全性をもたらすために、原子炉冷却機システムの外部に、原子炉の冷却材の漏れを引き起こす、シールの連続する破壊を防止するために、加圧水を第１の一連のシールに導入することが必要である。
【００１４】
したがって、破壊及び原子炉冷却材の漏れのいかなる危険性をも防止するために、シールへの冷水の連続した供給を行うことが必要である。
【００１５】
正常運転中、強力なチャージングポンプが、シールへの冷水の供給を行う。正常の電源の損失がある場合、一般に３８０Ｖの三相交流電流が供給される電動モータによって駆動される容積式ポンプによって、水が第一の一連のポンプのシールに注入される。
【００１６】
原子力発電所（主要回路網、補助回路網、及び、電動発電機セット）によって提供された３８０Ｖの電流が中断すると、一次ポンプのシールへ水を注入するポンプのモータのための電源を提供することが必要である。
【００１７】
例えば、注入ポンプの電流供給の中断をもたらす事件又は事故の場合に起動される、原子力発電所の蒸気発生器によって供給されたタービン発電機を使用することが提案されている。
【００１８】
タービン発電機を起動するのに必要とされる時間は、一次ポンプのシールに注入欠陥をもたらすことがある。その上、タービン発電機は定期的に検査されなければならず、タービン発電機の維持には費用がかかる。
【００１９】
注入ポンプのための駆動電流を発生させるためのタービン発電機の起動は、正常電源の損失後、二分間の最大時限内に行われなければならず、その時限は、加圧水をシールに供給することなしでの、一次ポンプの運転の最大時間に対応する。この時限は、第１の一連の一次ポンプのシールのアルミナ皮膜に対するあらゆる熱衝撃を防ぐように決定される。
【００２０】
経験では、蒸気発生器から取り出された蒸気によって駆動されるタービン発電機が、特に、システム内の水の存在により、起動時に幾つかの不良点を有することがあることを示している
【００２１】
したがって、原子力発電所のシステム及び構成要素に容易に一体化することができ、バッテリーの寿命よりも長い作動寿命を有し、且つ、急速且つ安全に運転に入ることができる、原子力発電所の補助構成要素の非常用電源に利用できる手段を有することが望ましい。
【発明の開示】
【発明が解決しようとする課題】
【００２２】
したがって、本発明の目的は、大きさが小さく、運転が非常に安全であり、且つ、良好な作動寿命を有し、維持運転をほとんど必要としない、原子力発電所の補助構成要素の非常用電源のための装置を提供することにある。
【課題を解決するための手段】
【００２３】
この目的のために、本発明による非常用電源のための装置は、水素を含有するガスの少なくとも一つのタンクから水素を含有するガスが、また、酸素を含有するガスの少なくとも一つのシステムから酸素を含有するガスが供給される少なくとも一つの燃料電池を含む。
【００２４】
本発明をより良く理解するために、一次ポンプ又は監視及び制御用配電盤のための非常用電源のための、本発明による電源装置とその使用を、今、添付の図面を参照して、実施例により説明する。
【発明を実施するための最良の形態】
【００２５】
図１には、参照番号１で全体的に示す、本発明による非常用電源装置が概略的に示され、且つまた、燃料電池を使用する電源装置を作動するのに使用される、原子炉のタンク及びシステムが概略的に示される。
【００２６】
装置１は、直列に配置され、且つ、電流の発生の数段を形成する、２ａ及び２ｂのような、燃料電池を形成する、幾つかの要素を主に含む。
【００２７】
さらに、装置１は、燃料電池ユニットへの水素と酸素の供給、燃料電池の冷却、また、使用されてない水素のリサイクル及び形成され又は燃料電池ユニットに導入された、それぞれ異なるシステムを含む。
【００２８】
図２は、燃料として水素を使用し、且つ、酸化剤として空気を使用するＰＥＭＦＣ型の燃料電池の一つのユニットセルを概略的に示す。
【００２９】
図２に示すセル３は、燃料電池の動作を理解するのを助けることを意図した、燃料電池のユニットセルである。
【００３０】
セル３は、水素入口区画室３ａ、空気入口区画室３ｂ、及び、区画室３ａと３ｂの間の、第一電極４ａ（アノード）、第二電極４ｂ（カソード）、及び、電極４ａと４ｂの間の、固形電解質を形成するポリマーで作られた水含浸膜６を含む。多孔質の電極４ａ（又は４ｂ）上に配置された触媒４’ａ（又は４’ｂ）により、セル３の中を通るガスを通過させる。
【００３１】
電極は、電導性炭素布上に白金炭素粉末の混合物を堆積させることによって生産される。アノード４ａには、水素（又は、水素を含むガス）が供給され、カソード４ｂには、酸素を有するガス、例えば、空気が供給される。
【００３２】
燃料電池は、燃料電池に導入された水素と酸素を使用して、化学的な酸化還元反応の自由エネルギーを電気エネルギーに直接変換することを可能にする。
【００３３】
アノード４ａと接触するときに、水素分子は、電子の放出で、水素イオン（プロトン）に変換される。
【００３４】
水素イオンは、それらが水素イオン及び酸素分子の面前に在るカソード４ｂに到達するために、図２に矢印８で示すように、電解質の中を通る。カソード４ｂに含まれる触媒の影響下で、水素イオンは、燃料電池に導入された空気の酸化酸素を、電子の吸収で還元する。その反応は、矢印９で示すように、水蒸気の形で水を産出する。
【００３５】
アノード反応によって生じた電子は、燃料電池のユーザ回路１０を流れ、カソード４ｂに至る。このようにして、アノードとカソードとの間に電位差が得られ、燃料電池のユーザ回路１０に電流が得られる
【００３６】
燃料電池の、Ｏ2／Ｈ2Ｏ対の酸化還元電位に相当する理論的な電圧は１．２３Ｖである。
【００３７】
燃料電池内部の損出を考慮することが必要であるので、この電圧は、実際には、図２に示す要素当たり、０．６Ｖと０．９Ｖとの間にある。
【００３８】
水含浸膜６は、カチオンタイプの膜であり、水素分子Ｈ2（矢印７’ａ）が導入されるアノード４ａから水素イオンＨ+だけを通過させる。燃料電池３の第二区画室３ｂ内に導入された空気からの酸素Ｏ2は、矢印７’ｂで示すように、カソード４ｂに導入される。
【００３９】
実際に、第二区画室３ｂに導入された空気は、燃料電池全体を通過して、燃料電池内に形成された水蒸気又は水を押し流し、パージ用空気中に浮遊して形成された水蒸気又は水を含む混合物は、矢印１１ａ及び１１ｂで示すように、第一区画室３ａ及び第二区画室３ｂの両方から取り出される。
【００４０】
非常用電源を提供するために、十分な電力を燃料電池から得るために、図２に示すように、複数のユニットセルを並べることが必要である。
【００４１】
例えば、一次ポンプのシールへ水を注入するためのポンプの非常用電源について、約１５０ｋＷの電力を利用することが必要であり、その電力は、多数のユニットセルを並べることによって得ることができ、ユニットセルの数は、得られるべき直流電圧によって決定され、また、ユニットセルの断面（電極の表面）は、生じさせなければならない電流の値によって決定される。
【００４２】
例えば、１５０ｋＷの電力を得るために、図２に示すようなＰＥＭＦＣ型の２５０のユニットセルを使用することができ、その断面は、４２０ｍｍの幅と４２０ｍｍの高さを有する。
【００４３】
連続するユニットセルのアノード及びカソードにそれぞれ取り付けられた二極板（bipolar plate）５ａが、二つの連続したセルの間に配置される。二極板は、ガス（水素及び酸素）をセル３の間に分配し、一方のセルから次のセルへ電子を収集し、燃料電池内の反応によって形成された生成物（特に、水蒸気）を除去し、そして、セル内に生じた反応熱を除去する。
【００４４】
ユニットセルの各々は、二極板、アノード、膜及びカソードを有し、第二二極板は、二つの連続する並置したセルに共通である。
【００４５】
燃料電池の全体が、端の区画室の所定の寸法を仮定すれば、約２３００ｍｍの長さを有するように、通常タイプのＰＥＭＦＣセルは、約１０ｍｍの厚さを有する。
【００４６】
したがって、図１に示す、２ａ及び２ｂのような、非常に多数のユニットは、非常用電源を提供する望ましい電気的特性を有する燃料電池２を形成するために並置される。
【００４７】
燃料電池には、各セルの両端に、二極板に、又は、区画室３ａ及び３ｂに、水素と空気が供給される。
【００４８】
区画室３ａ及び二極板のための水素は、燃料電池の区画室３ａの入口ノズル１３に、及び、５ａのような二極板５ａに連結された水素システム１２によって供給される。
【００４９】
原子力発電所は、一般的に、水素の貯蔵及び分配のための原子力発電所自身の手段を有し、その手段は、水素を燃料電池に供給するための水素システム１２の第一部分１２ａを構成する。
【００５０】
水素システム１２のこの第一部分１２ａは、高圧（例えば、１９７バール）下の一つ以上の水素貯蔵タンク１４と、水素圧力を分配圧力（例えば、７バール）まで減ずるためのステージ１５と、例えば、原子炉の化学体積制御システム（矢印１６ａ）、又は原子力発電所オペレータのユーザ回路（矢印１６ｂ）に、水素を分配する停止弁１５ａと、を有する。
【００５１】
燃料電池に供給するための水素システム１２は、例えば、原子力発電所の既存の水素システムの第一部分１２ａに、水素の圧力を（例えば３バールまで）減ずるための第二ステージ１７と、停止弁１７ａと、逆止弁１７ｂと、システムの部分１２ａを停止弁１５ａの下流で燃料電池のノズル１３に接合するためのパイプ１８とを有する、システム１２ｂの部分を取り付けられることによって作られる。
【００５２】
さらに、水素を分配するための水素システム１２は、燃料電池内で消費されなかった水素を第一区画室路３ａの第二ノズル１３’を経て回収するリサイクル部分１２ｃを有し、回収された水素は、第一区画室３ａの水素入口ノズル１３に連結されたパイプ１８に再び導入される。
【００５３】
回収システム１２ｃは、余分な水素を燃料電池内に形成された水蒸気から分離することを可能にするセパレーター１９を有し、水蒸気は凝縮され、次いで、原子炉から排水回収システム２０へ除去される。
【００５４】
逆止弁２１ａ、停止弁２１ｂ、及び、燃料電池によって電気が供給される循環ポンプ２２も、水素回収システム１２ｃに設置される。
【００５５】
燃料電池から要求される電力に応じて、多量又は少量の水素が回収され、貯蔵タンク１４から取り出される水素の量を減少させるように、その水素をリサイクルすることができる。
【００５６】
このようにして、非常用電源装置の電力で運転を調製し、且つ、水素の消費を最適にすることが可能である。
【００５７】
発電所の水素供給源の代わりに、燃料電池に特有の水素システムを使用することも可能である。
【００５８】
酸化酸素を提供し、且つ、燃料電池を清浄化する、燃料電池の第二区画室３ｂ、及び二極板用の給気は、パイプ２５によって第二区画室３ｂのノズル２３に連結されたシステム２４によって供給される。システム２４は、原子力発電所で使用されている普通の構成要素である、圧縮空気のタンク２６を有する。例えば、４ｍ3の容積を有する圧縮空気のバッファータンク（buffer tank）２６が使用され、空気を３バールの圧力で燃料電池に供給することを可能にする。
【００５９】
パイプ２５には、タンク２６と燃料電池内に空気を注入するためのノズル２３との間に、圧縮空気の圧力を（例えば、３バールの圧力にまで）減ずるための段階２７が設置されている。空気の代わりに、水素分配システムと同じ原理により、加圧タンク（Ｐ＝１９０バール）と、一つ又は二つの減圧装置と、停止弁と、を有する純粋酸素システムを使用することが可能である。
【００６０】
酸素の使用は、燃料電池の効率を改善することを可能にする。
【００６１】
燃料電池の第二区画室３ｂへ通じたノズル２３’に連結されたシステム２８は、燃料電池内で形成され、システム２４より燃料電池に注入された空気と混合された水蒸気を除去することを可能にする。システム２８は、排水回収システム２０内に形成された水を、原子炉から除去することを可能にするセパレーター２９を有する。
【００６２】
水蒸気から分離された空気は、システム２８からの排出パイプによって、大気中に除去される。
【００６３】
燃料電池内部で化学反応によって生じたエネルギーの一部が熱の形で放出されるから、燃料電池２は加熱される。
【００６４】
燃料電池を冷却することが必要であり、このため、原子力発電所の純水システム３０からの冷却水が、注入システム３１を経て、燃料電池の特別のパイプ内に注入され、注入システム３１は、注入システム３１及び燃料電池内に脱イオン水の流れを作るために、燃料電池によって電流が供給されるポンプ３２を有する。脱イオン水はまた、燃料電池のレベルよりも大きいレベルでタンクから重力の影響下で流してもよい。
【００６５】
燃料電池内で流れる水は、原子炉からの排水回収システム２０に連結されたシステム３３によって回収される。
【００６６】
回収システム３３は、二極板により燃料電池のアノード部分及びカソード部分に連結された枝部を有する。停止弁３３ａが、システム３３内に設置されているので、停止弁３３ａが開いているとき、回収された水は、排水回収システム２０へ除去される。
【００６７】
燃料電池を加熱するための（コイルの形で示す）装置４４は、燃料電池が非常用電源に使用されていないとき、燃料電池を作動温度に保つことを可能にする。この方法で、燃料電池を使用することが必要になったとき、燃料電池のスタートアップの時間が短縮される。
【００６８】
燃料電池によって作り出された電流を使用する回路を、１０で表す。直流電流が低電圧でユーザ回路１０の中を流れるように、回路は、二極板を経て、燃料電池のカソード部分とアノード部分に接続される。
【００６９】
燃料電池によって直流電圧で作り出された電流を回収するための回路が、図３に示すように、事件又は事故の場合に電源の継続をもたらすことが望まれる、原子力発電所の構成要素に接続される。
【００７０】
図４は、配電盤４０のための、及び、原子力発電所、又は他の燃料電池の補助設備（例えば、ポンプ）の、電磁弁のコイル、モータ又は接触器のような、回路４１を経て、電流を使用する構成要素のための正常及び非常用電源手段を示す。
【００７１】
配電盤４０の正常電源手段４２は、特に、交流電流を原子力発電所に与える回路網に接続され、かつ、例えば、１２５Ｖの電圧で直流電流を得る整流器を有する電源ユニットを有する。
【００７２】
非常用電源手段は、特に、燃料電池２と、構造的及び機能的特徴を以下に説明する少なくとも一つのスーパーコンデンサ（supercapacitor）３８を有する設備と、を有する。燃料電池２及びスーパーコンデンサ３８は、配電盤４０に、及び、回路４１に接続さた一般の電源ラインに並列に接続され、正常電源４２に対して電源ラインに直列に配置される。
【００７３】
それぞれの制御される回路遮断機又は継電器３７、３９及び４３が、正常電源４２、燃料電池２及びスーパーコンデンサ３８を一般の電源供給ラインに接続する枝部に配置される。
【００７４】
配電盤及びユーザ回路への正常電源が利用できるとき、回路遮断機３７及び４３は閉じられ、回路遮断機３９は開かれる。配電盤４０及びユーザ回路４１は、正常電源手段４２によって供給される。
【００７５】
スーパーコンデンサ３８は荷電状態に保たれる。
【００７６】
万一、正常電源が失なわれても、回路遮断機３７を開き、且つ回路遮断機３９を閉じることによって、非常用電源が使用される。
【００７７】
配電盤４０及びユーザ回路４１には、まず、スーパーコンデンサ３８によって、次いで、スーパーコンデンサ３８の放電中に、起動されて電流を発生する燃料電池２によって電流が供給される。このようにして、電源の改善された継続性がなされる。スーパーコンデンサは、燃料電池の起動中、配電盤４０への電流供給を保証するように寸法決めされる。
【００７８】
スーパーコンデンサ３８と一組の電源の母線との間のインタフェースは、スーパーコンデンサの放電中、一組の母線の電圧を一定に保つことを可能にする可逆チョッパー３８ａによってなされる。
【００７９】
必要に応じて、インバータ、変圧器又は整流器、又は、適当な特性を有する燃料電池を含む電子変換手段を使用することによって、任意の電圧、例えば、２２０Ｖ、１２５Ｖ、４８Ｖ又は３０Ｖで、直流電流又は交流電流を供給することができる。
【００８０】
燃料電池２の回路１０も、例えば、６９０Ｖ又は３８０Ｖの三相電源を使用する一つ又は二つ以上の低電圧モータに、一つのインバータ（又は、幾つかのインバータ）を経て電力を供給するのがよい。
【００８１】
特に、図３に示すように、電動モータ３５ａによって回転される容積式ポンプ３５への正常電源の中断があるとき、容積式ポンプ３５を経て、原子炉の少なくとも一つの一次ポンプのシールへの給水の継続を行うのに、回路１０を使用することができる。
【００８２】
ポンプ３５を駆動するための電動モータ３５ａには、燃料電池の回路１０によって作り出された直流電流を三相交流電流に変換するための変換器を経て、３８０Ｖの電圧の三相交流電流が供給される。
【００８３】
変換器３６は、インバータからなる。
【００８４】
燃料電池に対して並列に配置されたスーパーコンデンサは、燃料電池の起動及び電力の上昇中、正常電源の損失の場合、注入ポンプのより早い起動を可能にする。
【００８５】
水素燃料が原子力発電所のタンクで利用できるならば、原子炉の補助構成要素３４及び３５への非常用電源は、燃料電池によって提供することができる。
【００８６】
ＰＥＭＦＣ型の燃料電池の使用期間は、少なくとも約１００００時間であろう。その結果、各燃料電池についての非常用電源装置の連続使用期間は、水素の保存量によってのみ制限される。
【００８７】
燃料電池が高出力密度を有するから、燃料電池は、完全に独立に長期間の間、配電盤及び回路に正しく電力を供給することができる。
【００８８】
配電盤及び一組のユーザ構成要素に電力を供給することができる燃料電池の全体の大きさは、一時間の作動寿命の間、通常使用される（２２０Ｖ、１２５Ｖ、４８Ｖ又は３０Ｖの）バッテリーの大きさよりも実質的に小さい。
【００８９】
原子力発電所の監視及び制御盤の各々に電力を供給するのに、（大きさの小さい）燃料電池を使用することが可能であり、または、反対に、一組の監視及び制御盤に電力を供給するのに、もっと大きな出力及びもっと大きな大きさの燃料電池を使用することが可能である。
【００９０】
上述のように、非常用電源手段としての燃料電池の他の用途は、一次ポンプのシールの中に水を注入するためのポンプの電流供給に関する。
【００９１】
さらに、燃料電池は、起動又は作動するのに、いかなる外部エネルギー源をも必要としないことの、かくして、完全に独立であることの利点を有する。
【００９２】
その上、燃料電池の起動は非常に急速であり、また、電源の損失に続いて、原子炉の補助構成要素に供給する電流を提供することが必要とされるときだけ、燃料電池は実際に作動し、それは、燃料電池が非常用電気エネルギー源として使用される全ての場合について有利である。
【００９３】
本発明は、説明した実施形態に限定されない。
【００９４】
非常システムの動力を改善するために、上述のように、燃料電池に対して直列又は並列に配置されたスーパーコンデンサ設備を使用することができる。かかる設備は、燃料電池の出力を上昇させながら、種々のユーザ構成要素に必要とされた出力を即座に提供することを可能にする。スーパーコンデンサはまた、消費ピークの面前で出力を提供することを可能にする。したがって、本発明は、燃料電池と一つ又は二つ以上のスーパーコンデンサとからなるハイブリッドシステムを使用することができる。
【００９５】
スーパーコンデンサ（supercapacitors）の用語は、もっと高い時定数を有し、在来のキャパシターよりも、放電時にもっと高い電力を提供することができるキャパシターについて使用される。
【００９６】
本発明に使用することができるスーパーコンデンサは、二重層電気容量原理に基づく。スーパーコンデンサは、二つの多孔質電極と、電解質液と、多孔質隔壁と、からなる。スーパーコンデンサの生産には、種々の技術が要求される。電極を、炭素と、付着ポリマー（deposited polymers）と、水和金属酸化物とから作ることができる。使用される電解質は、水性であってもよいし、或いは有機タイプのものであってもよい。
【００９７】
使用されるスーパーコンデンサは、一般的に、優れた充放電繰返し（＞１０００００）、小さい大きさ、及び、ほんの僅かな保守の必要性の利点を有する。
【００９８】
あらゆる場合に、スーパーコンデンサは、使用相の間に充電を行う回路を伴わなければならない。
【００９９】
ＰＥＭＦＣ型の燃料電池の代わりに、他の型の燃料電池、例えば、以下の種類の一つの燃料電池を使用することができる：膜付き又は膜なしのアルカリ燃料電池（ＡＦＣ；alkaline fuel cell）、リン酸燃料電池ＰＡＦＣ（phosphoric acid fuel cell）、溶融炭酸塩燃料電池ＭＣＦＣ（molten carbonate fuel cell）、固体酸化物燃料電池ＳＯＦＣ（solid oxide fuel cell）、又は、直接メタノール燃料電池ＤＭＦＣ（direct methanol fuel cell）。
【０１００】
しかしながら、水素と空気又は純粋な酸素だけを消費するＰＥＭＦＣ型の燃料電池は、原子力発電所のシステムに一体化するのに特に適している。
【０１０１】
燃料電池に直接に、或いは改質装置を介して供給するために、純粋な水素の代わりに、燃料電池用の燃料として、原子力発電所のシステムで入手できるガス又は水素を含む他の任意の物質を使用することを考えることが可能である。
【０１０２】
同様に、空気の代わりに、専用タンクからの純粋な酸素、その他に、種々の量の酸素を含む他の任意の混合気体を使用することが可能である。
【０１０３】
しかしながら、本発明は、好ましくは、水素が直接供給され、或いは、原子力発電所のシステムからの酸素を含有するガスが直接供給され燃料電池を使用する。
【０１０４】
本発明は、加圧水型原子炉の一次ポンプのシール内に水を注入するためのポンプの非常用電源に限定されないが、原子力発電所での電源のあらゆる損失を解決するのに適用することができ、且つ、小さいポンプ、モータ、回路遮断機、自動制御機のための継電器、又は、直流電流又は交流電流が供給されるあらゆる他の低電圧装置を含む、発電所の補助構成要素への直流給電を行うのに適用することができる。
【０１０５】
燃料電池＋スーパーコンデンサのハイブリッドシステムによって供給されるプラントの出力は、５００ｋＶＡに達するであろう。
【０１０６】
かくして、電源の完全な損失の場合に、原子炉を冷却するために、原子炉の蒸気発生器に非常給水を提供するポンプに電力を供給することが可能である。
【０１０７】
これらのポンプ用のモータには、６９０Ｖで電流が供給される。
【０１０８】
その結果、最近の設計の原子炉に関しては、補助の給水ポンプは、これらの状況で供給されることを必要とする二つの非常用ポンプによって置き換えられる。
【０１０９】
現今、非常用電源機能単独専用の二つのディーゼル発電機が提供される。これらの小さいディーゼルエンジンを、少なくとも一つの燃料電池によって各々置き換えることができる。
【図面の簡単な説明】
【０１１０】
【図１】加圧水型原子炉を有する原子力発電所のシステムにおける、燃料電池からなる非常用電源装置の構成を示す線図である。
【図２】燃料として水素を使用する燃料電池の理論的な構成を示す概略図である。
【図３】原子炉の一次ポンプのシールに水を注入するためのポンプと、一次ポンプのシールの中に注入するためのシステムの補助部に電力を供給する、図１の非常用電源装置の使用法を示す線図である。
【図４】原子力発電所の構成要素のための配電盤の電源の詳細な線図である。
【国際公開パンフレット】
2004530874.tif 000003
2004530874.tif 000004
2004530874.tif 000005
2004530874.tif 000006
2004530874.tif 000007
2004530874.tif 000008
2004530874.tif 000009
2004530874.tif 000010
2004530874.tif 000011
2004530874.tif 000012
2004530874.tif 000013
2004530874.tif 000014
2004530874.tif 000015
2004530874.tif 000016
2004530874.tif 000017
2004530874.tif 000018
2004530874.tif 000019
2004530874.tif 000020
2004530874.tif 000021
2004530874.tif 000022
2004530874.tif 000023
2004530874.tif 000024
2004530874.tif 000025
【手続補正書】
【提出日】平成15年9月15日(2003.9.15)
【手続補正１】
【補正対象書類名】特許請求の範囲
【補正対象項目名】全文
【補正方法】変更
【補正の内容】
【特許請求の範囲】
【請求項１】
原子力発電所の補助構成要素（３４，３５，３５ａ，４０，４１）への主電源（４２）が故障したときに、燃料電池（２）、及び電気エネルギーを貯えるための装置（３８）から、前記補助構成要素（３４，３５，３５ａ，４０，４１）に非常給電するための方法であって、
電気エネルギーを貯えるための前記装置（３８）は、前記燃料電池に対して直列に又は並列に設置された少なくとも一つのスーパーコンデンサによって構成され、前記主電源（４２）が正常に作動しているとき、充填状態であり、
前記主電源が故障すれば、
即時に非常用電流を提供するために、前記少なくとも一つのスーパーコンデンサ（３８）を放電させることによって、電力を前記補助構成要素（３４，３５，３５ａ，４０，４１）に供給し、
水素を含有するガスと酸素を含有するガスとを、それぞれ少なくとも一つのタンクと、それぞれ少なくとも一つの水素を含有するガスの回路及び酸素を含有するガスの回路とから、前記燃料電池に供給することによって、前記燃料電池（２）を起動させ、前記スーパーコンデンサ（３８）の放電中、前記燃料電池（２）の電力の上昇を起こし、
次いで、前記燃料電池（２）によって作り出された非常用電流を前記補助構成要素に供給する、ことを特徴とする方法。
【請求項２】
原子炉の一次ポンプの駆動シャフトのシールに水を注入するためのポンプ（３５）を駆動するためのモータ（３５ａ）に非常給電するための、請求項１記載の方法であって、
前記燃料電池（２９の手段と、インバータのような、直流電流を三相交流電流に変換するためのコンバーター（３６）とによって、前記一次ポンプの前記シールに水を注入するための前記ポンプ（３５）の前記モータ（３５ａ）に電力を供給する、方法。
【請求項３】
原子力発電所の補助構成要素を監視し且つ制御するための複数の配電盤（４０）への非常給電のための請求項１記載の方法であって、
前記燃料電池（２）を、配電盤のセットの前記配電盤（４０）の各々に電力を供給するのに使用するか、前記燃料電池（２）を、配電盤のセットに全体として電力を供給するのに使用するかのいずれかである、ことを特徴とする方法。
【請求項４】
原子炉の蒸気発生器に非常用給水を送り出すための少なくとも一つのポンプに非常用電力を供給するための請求項１記載の方法であって、
電力の完全な損失があれば、前記原子炉を冷却するために、ディーゼル式発電機に代わり、５００ｋＶＡ程度の電力を有する前記燃料電池の手段によって、給水を送り出すための前記ポンプに電流を供給する、ことを特徴とする方法。
【手続補正２】
【補正対象書類名】明細書
【補正対象項目名】全文
【補正方法】変更
【補正の内容】
【発明の詳細な説明】
【技術分野】
【０００１】
本発明は、原子力発電所の補助構成要素への主電源の故障の場合に、原子力発電所の補助構成要素、特に、加圧水によって冷却された原子炉を有する原子力発電所の補助構成要素に非常給電するための方法に関する。
【背景技術】
【０００２】
原子力発電所の主要な構成要素を監視し、制御し、或いはセーフガードするのに、特に、使用される原子力発電所の多くの補助構成要素には、原子力発電所の原子炉のあらゆる操作段階を通じて、補助構成要素の機能を果たすことができるように、電流を継続的に供給しなければならない。
【０００３】
例えば、原子力発電所の電気設備室に取り付けられた回路遮断器及び接触器、電磁弁、及び、自動弁の転極接触器のような装置には、原子力発電所の十分な機能を確保するため、いかなる状況においても利用できるように、電力が継続的に供給されなければならない。
【０００４】
この装置には、例えば、交流３８０Ｖの回路網及び整流器から、原子力発電所によって提供された１２５Ｖの直流電流が供給される。
【０００５】
原子力発電所の電源の中断をもたらす事件又は事件が起れば、上述のように、電源設備の機能を保つことが必要である。
【０００６】
この電気設備があらゆる状況で継続的に確実に機能するようにするため、例えば、２５０Ａの最大電流で、１２５Ｖの公称電圧を出すことができる、鉛又はカドミウム蓄電池のような、蓄電池を使用することが通例である。
【０００７】
原子力発電所の正常運転中、蓄電池は、多数の構成要素への電源から生じる電流消費の一時的なピークを除いて、いかなる電流も出さない。
【０００８】
原子力発電所の正常電源が中断されるならば、蓄電池は、電気設備へのエネルギー源を、蓄電池のみによって確保しなければならず、このような事件又は事故は、例えば、電気設備に電力を供給するための手段の局部的な故障である。
【０００９】
その場合、蓄電池は、公称電圧１２５Ｖ、蓄電池の両端間の電圧がおよそ１０５Ｖの制限電圧より下がることなく、少なくとも一時間の間、電力を電気設備に供給することができなければならない。
【００１０】
電源の所望の最低限の自律性を達成するために、この機能を果たすことができる蓄電池の空間要件及び質量は、極めて大きい。
【００１１】
加圧水によって冷却される原子炉は、加圧水を一次ポンプによって循環させる一次回路を有し、一次ポンプは、ポンプの渦形室の内部に、ポンプモータに連結されたシャフトによって回転させられるポンプ羽根車を有する。
【００１２】
一次ポンプのシャフトは、大気圧でモータに連結された部分と、非常に高圧且つ非常に高温下の水を受ける渦形室内でポンプ羽根車に連結された部分との間で、幾つかの一連のシールを貫いて延びる。
【００１３】
シールの不変の完全性を確保するために、一次流体を一次回路の外側に漏れさせることになるシールの連続する破壊を防止するために、加圧水を一連のシールに導入することが必要である。
【００１４】
したがって、破壊及び一次水の漏れのいかなる危険性をも回避するために、シールへの冷却水の連続した供給を確保することが必要である。
【００１５】
正常運転中、強力なチャージポンプが冷却水をシールに供給する。正常電源が損失すれば、一般に３８０Ｖの三相交流電流が供給される電動モータによって駆動される容積式真空ポンプによって、水が第一の一連のポンプのシールに注入される。
【００１６】
原子力発電所（主要回路網、補助回路網、及び発電機セット）によって提供された３８０Ｖの電流が中断すれば、一次ポンプのシールへ水を注入するためのポンプのモータのための電源を提供することが必要である。
【００１７】
例えば、注入ポンプへの電流の供給の中断という結果となる事件又は事故が起きれば起動される、原子力発電所の蒸気発生器によって動力を供給されたタービン駆動発電機を使用することが提案されている。
【００１８】
タービン駆動発電機を起動するのに必要な時間は、一次ポンプのシール内への不完全な注入を引き起こすことがある。さらに、タービン駆動発電機は定期的に検査されなければならず、タービン駆動発電機の維持に費用がかかる。
【００１９】
注入ポンプを駆動するための電流の発生のためのタービン駆動発電機の起動は、正常電源の損失後、二分間の最大期間内に行われなければならず、その期間は、シールへの加圧水の供給なしでの、一次ポンプの運転の最大継続時間に対応する。その期間は、シリーズ番号１の一次ポンプのシールの酸化アルミニウム被膜へのあらゆる熱衝撃を回避ように決定される。
【００２０】
経験では、蒸気発生器から取り出された蒸気によって駆動されるタービン駆動発電機が、特に、システム内の水の存在により、起動時に幾つかの機能不全を有することがあることを示している。
【００２１】
したがって、原子力発電所の回路及び構成要素に容易に一体化することができ、蓄電池の運転の自律性よりも高い運転の自律性を有し、且つ、迅速且つ頼もしく運転に入ることができる、原子力発電所の補助構成要素のために利用できる非常用電源手段を有することが望ましい。
【００２２】
特開平０８−０６２３８６号及び特開平０３−２０８２５９号が、原子力発電所の運転に関連して燃料電池の使用方法を考えている。欧州特許第１，０６５，７７５号では、瞬間高電力及び一定電力を設備に長期間供給するように、二つの電源（例えば、蓄電池及びスーパーコンデンサ又は燃料電池）の共同使用が行われる。
【発明の開示】
【発明が解決しようとする課題】
【００２３】
したがって、本発明の目的は、ほとんど場所を取らず、且つ大変信頼性を藻って作動する電源手段を使用して、良い程度の自律性を有し、保守運転をほとんど必要とせず、且つ、有害な中断無く、補助構成要素に電力を供給することができる、原子力発電所の補助構成要素に非常給電するための方法を提案することにある。
【課題を解決するための手段】
【００２４】
本目的は、請求項１による方法によって達成される。
【発明を実施するための最良の形態】
【００２５】
図１には、参照番号１で全体的に示す、本発明による非常用電源装置が概略的に示され、且つまた、燃料電池を使用する電源装置を作動するのに使用される、タンク及び原子炉の回路が概略的に示されている。
【００２６】
装置１は、直列に配置され、かつ、電流の発生の数段を構成する、２ａ及び２ｂのような、燃料電池を構成する幾つかの部材を主に含む。
【００２７】
デバイス１はまた、全体として、全ての燃料電池への水素及び酸素それぞれの供給、燃料電池の冷却、使用されなかった水素のリサイクル、及び、燃料電池に形成され或いは導入されたあらゆる水の除去を行う種々の回路を含む。
【００２８】
図１に示す２ａ及び２ｂのようなユニットが、非常給電を確保するために、所望の電気的特性を有する燃料電池を構成するために多数並置されている。
【００２９】
燃料電池には、各セルの両端に、二極板に、又は、区画室３ａ及び３ｂに、水素と空気が供給される。
【００３０】
区画室３ａ及び二極板には、燃料電池の区画室３ａの入口ノズル１３と、５ａのような二極板とに接続された水素回路１２の手段によって、水素が供給される。
【００３１】
原子力発電所は、一般的に、原子力発電所自身の水素貯蔵分配手段を有し、その手段は、燃料電池の水素供給回路１２の第一部分１２ａを構成する。
【００３２】
水素供給回路１２のその第一部分１２ａは、水素を貯えるための高圧（例えば、１９７バール）下の一つ以上のタンク１４と、水素圧力を分配圧力（例えば、７バール）まで減ずるためのプレート１５と、例えば、原子炉の化学体積制御回路（矢印１６ａ）、又は原子力発電所オペレータの負荷回路（矢印１６ｂ）に水素を分配する停止弁１５ａと、を有する。
【００３３】
燃料電池に供給するための回路１２は、例えば、原子力発電所に存在する水素回路の第一部分１２ａに、水素の圧力を（例えば３バールまで）減ずるための第二ステージ１７と、停止弁１７ａと、逆止弁１７ｂと、回路部分１２ａを停止弁１５ａの下流で燃料電池のノズル１３に接合するためのパイプ１８とを有する回路部分１２ｂを取り付けることによって作られる。
【００３４】
さらに、水素分配回路１２はまた、燃料電池内で消費されなかった水素を、第一区画室３ａの第二ノズル１３’より回収するリサイクル部分１２ｃを有し、回収された水素は、第一区画室３ａ内への水素の注入のためのノズル１３に連結されたパイプ１８に再導入される。
【００３５】
回収回路１２ｃは、余分な水素を、燃料電池内に形成された水蒸気から分離することができるセパレーター１９を有し、水蒸気は凝縮され、次いで、原子炉の抽気回収回路２０へ排出される。
【００３６】
逆止弁２１ａ、停止弁２１ｂ、及び、燃料電池より電力が供給される循環ポンプ２２も、水素回収回路１２ｃに設置される。
【００３７】
燃料電池の要求される出力に応じて、多量又は少量の水素が回収され、そして、貯蔵タンク１４から取り出される水素の量を減少させるよに、リサイクルすることができる。
【００３８】
かくして、非常用電源装置の出力機能を調節して、水素の消費を最適化することができる。
【００３９】
発電所の水素供給源の代わりに、燃料電池に特有の水素回路を使用することもできるであろう。
【００４０】
酸化酸素を提供し、燃料電池を清掃する、燃料電池の第二区画室３ｂ、及び二極板への空気の供給は、第二区画室３ｂのノズル２３にパイプ２５によって連結された回路２４によって行われる。回路２４は、原子力発電所で使用される在来の構成要素である、圧縮空気のタンク２６を有する。例えば、４ｍ3の容積を有する圧縮空気のバッファータンク（buffer tank）２６が使用され、３バールの圧力で、燃料電池への空気の供給を可能にする。
【００４１】
パイプ２５には、タンク２６と燃料電池内に空気を注入するためのノズル２３との間に、圧縮空気の圧力を（例えば、３バールの圧力にまで）減ずるためのプレート２７が設置される。空気の代わりに、水素分配システムと同じ原理により、加圧タンク（Ｐ＝１９０バール）と、一つ又は二つの減圧装置と、停止弁と、を有する純粋酸素の回路を使用することが可能である。
【００４２】
酸素の使用は、燃料電池の効率を改善する。
【００４３】
燃料電池によって作り出された電流のための負荷回路を、１０で表す。直流電流が一定電圧でユーザ回路１０の中を流れるように、負荷回路は、二極板を経て、燃料電池のカソード部分とアノード部分に接続される。
【００４４】
燃料電池によって直流電圧下で作り出された電流を回収するための回路が、図３に示すように、事件又は事故の場合に電力の継続した供給が望まれる、原子力発電所の構成要素に接続される。
【００４５】
図３は、正常電力及び非常用電力を、配電盤４０と、原子力発電所、かつまた、燃料電池の補助設備（例えば、ポンプ）の、電磁弁のコイル、モータ又は接触器のような、回路４１によって、電流を使用する構成要素と、に供給するための手段を示す。
【００４６】
配電盤４０の正常電源手段４２は、特に、交流電流を供給する原子力発電所の回路網に接続され、かつ、例えば、１２５Ｖの電圧下で直流電流を得るための整流器を有する電源ユニットを有する。
【００４７】
非常用電源手段は、特に、燃料電池２と、構造的及び機能的特徴を以下に説明する少なくとも一つのスーパーコンデンサ（supercapacitor）３８を有する設備と、を有する。燃料電池２とスーパーコンデンサ３８の設備は、配電盤４０に、及び、回路４１に接続された一般の電源ラインに並列に接続され、正常電源４２に対してその電源ライン上に直列に配置される。
【００４８】
それぞれの継電器又は制御された回路遮断機又は３７、３９及び４３が、正常電源４２、燃料電池２及びスーパーコンデンサ３８を一般の電源ラインに接続する枝部に配置される。
【００４９】
配電盤及び負荷回路への正常電源が利用できるとき、回路遮断機３７及び４３は閉じられ、回路遮断機３９は開かれる。配電盤４０及び負荷回路４１には、正常電源手段４２によって電力が供給される。
【００５０】
スーパーコンデンサ３８は充電に保たれる。
【００５１】
正常電源が失われれば、回路遮断機３７を開き、且つ回路遮断機３９を閉じることによって、非常用電源が作動される。
【００５２】
配電盤４０及びユーザ回路４１には、まず第一に、スーパーコンデンサ３８によって、次いで、スーパーコンデンサ３８の放電中に、電流の発生のために起動される燃料電池２によって電力が供給される。かくして、電力の供給における優れた継続性が確保される。スーパーコンデンサは、燃料電池の起動中、配電盤４０への電力の供給を保証するように寸法決めされる。
【００５３】
スーパーコンデンサ３８と電源の母線との間のインタフェースは、スーパーコンデンサの放電中、母線の電圧を一定に維持することを可能にする可逆チョッパー３８ａによってなされるのがよい。
【００５４】
必要に応じて、インバータ、変圧器又は整流器、又は、適当な特性を有する燃料電池を含む電子変換手段を使用することによって、任意の電圧、例えば、２２０Ｖ、１２５Ｖ、４８Ｖ又は３０Ｖで、直流又は交流電源を提供することができる。
【００５５】
燃料電池２の回路１０も、例えば、三相の６９０Ｖ又は３８０Ｖが供給される一つ又は二つ以上の低電圧モータに、一つのインバータ（又は、幾つかのインバータ）を経て供給してもよい。
【００５６】
特に、図２に示すように、電動モータ３５ａによって回転される容積式真空ポンプ３５への正常電源の中断がある場合、容積式真空ポンプ３５を経て、原子炉の少なくとも一つの一次ポンプのシールへの給水の継続性を確保するために、回路１０を使用することができる。
【００５７】
ポンプ３５を駆動するための電動モータ３５ａには、燃料電池の回路１０によって作り出された直流電流を三相交流電流に変換するための変換器を経て、３８０Ｖの電圧の三相交流電流が供給される。
【００５８】
変換器３６は、インバータによって構成される。
【００５９】
燃料電池に対して並列に配置されたスーパーコンデンサは、正常電源の損失の場合、燃料電池の起動及び電力の上昇中、注入ポンプのより迅速な起動を可能にする。
【００６０】
水素燃料が原子力発電所のタンク内で入手できる限り、原子炉の補助構成要素３４及び３５への非常用電源を、燃料電池によって提供することができる。
【００６１】
ＰＥＭＦＣ型の燃料電池の耐用年数は、少なくともおよそ１００００時間であろう。したがって、燃料電池による非常用電源装置の連続使用期間は、水素の保存量によってのみ制限される。
【００６２】
燃料電池が高出力密度を有する事実により、燃料電池は、配電盤及び回路への電力の供給を、長期間の間、完全に自律的な方法で、正しく確保することができる。
【００６３】
配電盤及び一組のユーザ構成要素への電力の供給を確保することができる燃料電池の全体の大きさは、一時間の自律性のための通常使用される（２２０Ｖ、１２５Ｖ、４８Ｖ又は３０Ｖの）バッテリーの大きさよりも実質的に小さい。
【００６４】
電力を原子力発電所の監視及び制御配電盤の各々に供給するのに、（大きさが小さい）燃料電池を使用することが可能であり、または、逆に、電力を一組の監視及び制御配電盤に供給するのに、より大きな出力及びより大きな大きさの燃料電池を使用することが可能である。
【００６５】
上述のように、非常用電源手段としての燃料電池についての他の用途は、一次ポンプのシールの中に水を注入するためのポンプへの電力の供給に関する。
【００６６】
その上、燃料電池は、起動又は作動するのに、いかなる外部エネルギー源をも必要とせず、したがって、完全に自律的であるという利点を有する。
【００６７】
その上、燃料電池の起動は非常に迅速であり、また、電力の損失後、原子炉の補助構成要素に供給するための電流を提供することが必要とされるときだけ、燃料電池は実際に機能し、それは、燃料電池が電気エネルギーの非常用電源として使用される全ての場合に有利である。
【００６８】
非常システムの動力を改善するために、上述のように、燃料電池に対して直列又は並列に配置されたスーパーコンデンサの設備を使用することができる。かかる設備は、燃料電池の出力上昇中、必要な出力を種々のユーザ構成要素に即座に供給することができる。スーパーコンデンサはまた、消費ピークのときに電力の供給を確保する。したがって、本発明は、燃料電池と一つ又は二つ以上のスーパーコンデンサとによって構成されたハイブリッドシステムを使用することができる。
【００６９】
スーパーコンデンサ（super capacitors）の名称は、より高い時定数を有し、在来のキャパシターが提供できる電力よりも、もっと高い電力を、放電によって提供することができることができるキャパシターに適用される。
【００７０】
本発明の場合に使用することができるスーパーコンデンサは、二重層電気容量の原理に基づく。スーパーコンデンサは、二つの多孔質電極と、電解質液と、多孔質隔壁と、によって構成される。種々の技術がスーパーコンデンサの生産に使用される。電極を、炭素と、付着ポリマー（deposited polymers）と、水和金属酸化物とで構成することができる。使用される電解質液は、水性であってもよいし、有機タイプのものであってもよい。
【００７１】
使用されるスーパーコンデンサは、一般的に、優れた充放電繰返し能力（＞１０００００）を有し、小さい必要空間、及び、ほんの僅かな量の保守の必要性の利点を有する。
【００７２】
どんな場合であっても、スーパーコンデンサは、使用段階の間に充電を確保する回路によって伴われなければならない。
【００７３】
水素と空気又は純粋酸素を専ら消費するＰＥＭＦＣ型の燃料電池は、原子力発電所の回路に一体化するのに特に適している。
【００７４】
純粋な水素の代わりに、燃料電池に直接に、或いは改質装置を介して供給するために、原子力発電所の回路で入手できるガス又は水素を含む他の任意の物質の、燃料電池の燃料としての、使用法を提供することが可能である。
【００７５】
同様に、空気の代わりに、専用タンクからの純粋な酸素、又は、種々の酸素の含有量を有する他の任意の混合気体を使用することが可能である。
【００７６】
しかしながら、本発明は、好ましくは、水素が直接供給され、或いは原子力発電所の回路から酸素を含有するガスが供給される燃料電池を使用する。
【００７７】
本発明は、加圧水型原子炉の一次ポンプのシールに水を注入するためのポンプへの電力の非常供給に限定されないが、原子力発電所での電源のあらゆる損失を補償するのに使用することができ、また、小さいポンプ、モータ、回路遮断機、自動装置のための継電器、又は直流電流又は交流電流が供給されるあらゆる他の低電圧装置を含む、発電所の補助構成要素への電力の連続した供給を確保するのに適用することができる。
【００７８】
燃料電池＋スーパーコンデンサのハイブリッドシステムによって供給される設備の出力は、５００ｋＶＡ程であろう。
【００７９】
したがって、電源の完全な損失があれば、原子炉を冷却するために、原子炉の蒸気発生器に非常用給水を送り出すポンプに電力を供給することが可能である。
【００８０】
これらのポンプのモータには、６９０Ｖが供給される。
【００８１】
さらに、最近の設計の原子炉の場合には、タービン駆動非常用ポンプは、これらの状況で電力を供給することが必要な二つの電動非常用ポンプによって置き換えられる。
【００８２】
非常給電機能専用の二つのディーゼル式発電機に関する現行規定がある。これらの小さいディーゼル式発電機を、少なくとも一つの燃料電池によって各々置き換えることができる。
【図面の簡単な説明】
【００８３】
【図１】加圧水型原子炉を有する原子力発電所の回路における、燃料電池によって構成された非常用電源装置の設備を示す線図である。
【図２】原子炉の一次ポンプのシールに水を注入するためのポンプと、一次ポンプのシール内への注入のためのシステムの補助設備とに電力を供給する、図１の非常用電源装置の使用方法を示す線図である。
【図３】原子力発電所の構成要素への電力の供給のための配電盤への電源の詳細な線図である。




【国際調査報告】
2004530874.tif 000026
2004530874.tif 000027
2004530874.tif 000028
2004530874.tif 000029
2004530874.tif 000030
2004530874.tif 000031